(57)【要約】      （修正有）【課題】体積が小さく、軽量で携帯しやすく、どのような場合であっても適時に使用可能であり、口腔衛生を守るとの作用を奏するほか、口腔の臭いも低減可能な濃縮洗口材料を含む名刺型容器を提供する。【解決手段】名刺型容器１０は、携帯しやすいよう複数の洗口液パッケージを互いに重ねることが可能であり、濃縮洗口液材料２０を内部に含む。濃縮洗口材料２０は名刺型容器１０内に保存されている。名刺型容器１０を切り開いてカップ状に広げ、水を加えると、濃縮洗口材料２０が溶解して洗口液となる。名刺型容器１０は２層式の矩形シート状をなしており、防水性及び可撓性を有する前シート１１と、防水性及び可撓性を有する後シートが設けられている。前シート１１と後シートの四辺を互いに接着状とすることで、前シート１１と後シートの間に密閉空間が形成され、濃縮洗口材料２０が収容される。【選択図】図２
0003232790.tif 000002
【実用新案登録請求の範囲】
【請求項１】
２層式の矩形シート状をなす名刺型容器であって、防水性及び可撓性を有する前シートと、防水性及び可撓性を有する後シートが設けられ、当該前シートと当該後シートの間に密閉空間が形成されるよう、当該前シートと当該後シートの四辺が互いに接着状となっており、上端に切取線が設けられる名刺型容器と、
当該名刺型容器の当該前シートと当該後シートの間の当該密閉空間内に配置される濃縮洗口材料、を含む名刺型の携帯用洗口液。
【請求項２】
当該名刺型容器の当該前シートと当該後シートは、表面に防水フィルムがコーティングされた防水紙からなる請求項１に記載の名刺型の携帯用洗口液。
【請求項３】
当該名刺型容器は、１枚の防水紙を２つに折ることで当該前シートと当該後シートを形成し、残りの三辺を互いに接着状とすることで、当該前シートと当該後シートの間に密閉空間を形成する請求項２に記載の名刺型の携帯用洗口液。
【請求項４】
当該名刺型容器の当該前シートと当該後シートは、表面にワックスコーティング層を有する防水紙からなる請求項１に記載の名刺型の携帯用洗口液。
【請求項５】
当該名刺型容器の当該前シートと当該後シートはプラスチックシートからなる請求項１に記載の名刺型の携帯用洗口液。
【請求項６】
当該濃縮洗口材料は、濃縮された液状の洗口液である請求項１に記載の名刺型の携帯用洗口液。
【請求項７】
当該濃縮洗口材料の外部は水溶性フィルムで包まれている請求項６に記載の名刺型の携帯用洗口液。
【請求項８】
当該濃縮洗口材料は、濃縮された粉末状の溶解しやすい洗口材料である請求項１に記載の名刺型の携帯用洗口液。
【請求項９】
当該濃縮洗口材料の外部は水溶性フィルムで包まれている請求項８に記載の名刺型の携帯用洗口液。
【考案の詳細な説明】
【技術分野】
【０００１】
本考案は、体積が小さく、軽量で収納が容易であり、携帯しやすい名刺型の携帯用洗口液に関する。
【背景技術】
【０００２】
歯の健康とヘルスケアについては、歯磨き粉のみで守ろうとしても全くもって不十分である。そこで、多くの人はデンタルフロスを合わせて使用することで歯間に挟まった食物残渣を除去したり、洗口液で口腔内の細菌を洗い流したりしている。洗口液の主成分は、香料、フッ化物、界面活性剤、アルコール等の物質であり、浸透性に優れている。洗口液は、口腔内の食物残渣や白質（ｍａｔｅｒｉａ ａｌｂａ）の一部を除去可能なほか、口腔内の細菌数を一次的に減らすことが可能であり、口腔のクリーニングや、虫歯及び歯周病の予防といった作用を有する。
【０００３】
洗口液は、活発にコミュニケーションを行う現代人にとって必需品の１つとなっている。ところで、これまでの洗口液のパッケージはボトル型とされてきた。しかし、ボトル型の洗口液は体積が大きく、重量も過剰なことから、携帯には不向きであった。そのため、人は３度の食事のあとに洗口液で口を漱ぐ必要があるが、洗口液を携帯しにくいことから、適時に洗口液を得られないという不都合が生じていた。
【０００４】
人々は、外出時に洗口液を使用したい場合に度々遭遇する。そのため、洗口液のパッケージは、携帯しやすいよう、体積が小さく、軽量で収納が容易でなければならない。しかし、従来の家庭用のボトル型洗口液は、体積が嵩み、重量が大きいことから携帯しにくく、携帯型の洗口液としては除外されている。また、市場で見られる携帯式の洗口液には、カップ型のパッケージのものもあれば、長細い膨張型のパッケージのものもある。しかし、これら２つは依然として一定の体積と重量を有しているため、同時にいくつも携帯すると全体の体積が非常に大きくなり、全体の重量も過剰となってしまう。つまり、これら２種類のパッケージ形態の洗口液も、体積が小さく、軽量で収納が容易であり、携帯しやすいとの要件は満たせていない。
【考案の概要】
【考案が解決しようとする課題】
【０００５】
本考案の目的は、体積が小さく、軽量で携帯しやすく、どのような場合であっても適時に使用可能であり、口腔衛生を守るとの作用を奏するほか、口腔の臭いも低減可能な名刺型の携帯用洗口液を提供することである。
【課題を解決するための手段】
【０００６】
上記の目的を達成するために、本考案で提供する名刺型の携帯用洗口液には、名刺型容器と濃縮洗口材料が設けられている。当該濃縮洗口材料は、当該名刺型容内に密封されている。当該名刺型容器の封を切り開いて当該名刺型容器に水を加えると、当該濃縮洗口材料が溶解して洗口液となり得る。
【０００７】
当該名刺型容器は２層式の矩形シート状をなしており、防水性及び可撓性を有する前シートと、防水性及び可撓性を有する後シートが設けられている。当該前シートと当該後シートの間に密閉空間が形成されるよう、当該前シートと当該後シートの四辺は互いに接着状となっている。当該名刺型容器の上端には切取線が設けられている。
【０００８】
当該名刺型容器の当該前シートと当該後シートは、防水紙で製造してもよいし、プラスチックシートで製造してもよい。
【０００９】
当該濃縮洗口材料は、濃縮された液状の洗口液としてもよいし、濃縮された粉末状の洗口材料としてもよい。
【００１０】
当該濃縮洗口材料の外部は水溶性フィルムで包まれている。
【００１１】
本考案を更に明瞭簡潔とするために、以下では、特に実施例を挙げるとともに、図面を組み合わせて詳細に説明する。
【考案の効果】
【００１２】
本考案によれば、体積が小さく、軽量で携帯しやすく、どのような場合であっても適時に使用可能であり、口腔衛生を守るとの作用を奏するほか、口腔の臭いも低減可能な名刺型の携帯用洗口液を提供することができる。
【図面の簡単な説明】
【００１３】
【図１】本考案の実施例の斜視図である。
【図２】図１に示す実施例にかかる前シートの一部断面及び濃縮洗口材料の断面図である。
【図３】図１に示す実施例の一部断面の拡大図である。
【図４】図１に示す実施例の使用状態の図である。
【図５】図１に示す実施例を複数重ねて収納した状態の図である。
【考案を実施するための形態】
【００１４】
図１は、本考案の実施例の斜視図である。図２は、図１に示す実施例にかかる前シートの一部断面及び濃縮洗口材料の断面図であるとともに、選択図である。図１及び図２を参照する。本考案で開示する名刺型の携帯用洗口液、特に、携帯しやすいよう複数の洗口液パッケージを互いに重ねることが可能な洗口液は、図５に示すように、携帯・収納形態がまるで個人の名刺を収納するような形状となる。当該名刺型の携帯用洗口液には、名刺型容器１０と濃縮洗口材料２０が設けられている。図３に示すように、当該濃縮洗口材料２０は当該名刺型容器１０内に保存されている。図４に示すように、当該名刺型容器１０の封を切り開いて当該名刺型容器１０をカップ状に広げる。そして、カップ状に広がった名刺型容器１０に水を加えれば、当該濃縮洗口材料２０が溶解して洗口液となり得る。
【００１５】
図１〜図３を参照する。当該名刺型容器１０は、２層式の矩形シート状をなしている。当該名刺型容器１０には、防水性及び可撓性を有する前シート１１と、防水性及び可撓性を有する後シート１２が設けられている。当該前シート１１と当該後シート１２の間に密閉空間が形成されるよう、当該前シート１１と当該後シート１２の四辺は互いに接着状となっている。当該名刺型容器１０の上端には切取線１３が設けられている。当該切取線１３に沿って当該名刺型容器１０の上端の封止部分を切り取ると、水３０を注ぐためのカップ口１４が形成される。当該前シート１１と当該後シート１２の四辺は、熱間圧接によって互いに接着可能である。図２において、当該濃縮洗口材料２０は水溶性フィルム２１に包まれており、円形の点線で囲んだ部分が当該濃縮洗口材料２０を表している。
【００１６】
当該名刺型容器１０の当該前シート１１と当該後シート１２は、表面に防水フィルムがコーティングされた防水紙からなる。実際に製造する際には、１枚の防水紙を２つに折ることで当該前シート１１と当該後シート１２を形成し、残りの三辺を互いに接着状とすることで、当該前シート１１と当該後シート１２の間に密閉空間を形成すればよい。当該前シート１１と当該後シート１２は、表面にワックスコーティング層が設けられた防水紙を用いて製造可能である。また、名刺型容器１０の当該前シート１１と当該後シート１２は、プラスチックシートを用いて製造してもよい。
【００１７】
当該濃縮洗口材料２０は濃縮された液状の洗口液である。当該濃縮された液状の洗口液は、当該名刺型容器１０内に直接充填することが可能である。当該濃縮された液状の洗口液は、自然と当該名刺型容器１０の内部に広がるため、当該名刺型容器１０の見た目の厚さを際立って増大させることがない。また、当該濃縮された液状の洗口液の外部は水溶性フィルム２１で包まれている。当該水溶性フィルム２１は水に触れると溶解するとともに、展延性を有している。そのため、当該名刺型容器１０内で自然と押圧されて厚みが小さくなり、当該名刺型容器１０の見た目の厚さを際立って増大させることがない。
【００１８】
当該濃縮洗口材料２０は、濃縮された粉末状の溶解しやすい洗口材料である。当該濃縮された粉末状の洗口材料は、当該名刺型容器１０内に直接充填することが可能である。当該濃縮された粉末状の洗口材料は、自然と当該名刺型容器１０の内部に広がるため、当該名刺型容器１０の見た目の厚さを際立って増大させることがない。また、当該濃縮された粉末状の洗口材料の外部も同様に、水溶性フィルム２１で包むことが可能である。当該水溶性フィルム２１は当該名刺型容器１０内で自然と押圧されて厚みが小さくなるため、当該名刺型容器１０の見た目の厚さを際立って増大させることがない。
【００１９】
本考案で提供する名刺型の携帯用洗口液は、従来の洗口液内の水分含有量を大幅に低下させている。水は洗口液全体の重量及び体積の主な部分を占めるため、本考案では、水分含有量を低下させることで体積及び重量を低下可能とし、携帯を容易にするための前提条件を整えた。また、本考案では、シート状の名刺型容器１０として設計することで、複数の名刺型容器１０を互いに重ねて収納可能とし、使用者による携帯及び収納をいっそう容易とした。従って、本考案は理想的且つ実用的であるとともに、携帯しやすい洗口液パッケージである。
【符号の説明】
【００２０】
１０  名刺型容器
１１  前シート
１２  後シート
１３  切取線
１４  カップ口
２０  濃縮洗口材料
２１  水溶性フィルム
３０  水
【図１】
0003232790.tif 000003
【図２】
0003232790.tif 000004
【図３】
0003232790.tif 000005
【図４】
0003232790.tif 000006
【図５】
0003232790.tif 000007
【手続補正書】
【提出日】令和3年2月22日(2021.2.22)
【手続補正１】
【補正対象書類名】実用新案登録請求の範囲
【補正対象項目名】全文
【補正方法】変更
【補正の内容】
【実用新案登録請求の範囲】
【請求項１】
２層式の矩形シート状をなす名刺型容器であって、防水性及び可撓性を有する前シートと、防水性及び可撓性を有する後シートが設けられ、当該前シートと当該後シートの間に密閉空間が形成されるよう、当該前シートと当該後シートの四辺が互いに接着状となっており、上端に切取線が設けられる名刺型容器と、
当該名刺型容器の当該前シートと当該後シートの間の当該密閉空間内に配置される濃縮洗口材料、を含む内部に濃縮洗口材料を含む名刺型容器。
【請求項２】
当該名刺型容器の当該前シートと当該後シートは、表面に防水フィルムがコーティングされた防水紙からなる請求項１に記載の内部に濃縮洗口材料を含む名刺型容器。
【請求項３】
２層式の矩形シート状をなす名刺型容器であって、防水性及び可撓性を有する前シートと、防水性及び可撓性を有する後シートが設けられ、当該前シートと当該後シートの間に密閉空間が形成されるよう、当該前シートと当該後シートの四辺が互いに接着状となっており、上端に切取線が設けられる名刺型容器と、
当該名刺型容器は、１枚の防水紙を２つに折ることで当該前シートと当該後シートを形成し、残りの三辺を互いに接着状とすることで、当該前シートと当該後シートの間に密閉空間を形成し、当該名刺型容器の当該前シートと当該後シートの間の当該密閉空間内に配置される濃縮洗口材料、を含む、内部に濃縮洗口材料を含む名刺型容器。
【請求項４】
当該名刺型容器の当該前シートと当該後シートは、表面にワックスコーティング層を有する防水紙からなる請求項１に記載の内部に濃縮洗口材料を含む名刺型容器。
【請求項５】
当該名刺型容器の当該前シートと当該後シートはプラスチックシートからなる請求項１に記載の内部に濃縮洗口材料を含む名刺型容器。
【請求項６】
当該濃縮洗口材料は、濃縮された液状の洗口液である請求項１に記載の内部に濃縮洗口材料を含む名刺型容器。
【請求項７】
当該濃縮洗口材料の外部は水溶性フィルムで包まれている請求項６に記載の内部に濃縮洗口材料を含む名刺型容器。
【請求項８】
当該濃縮洗口材料は、濃縮された粉末状の溶解しやすい洗口材料である請求項１に記載の内部に濃縮洗口材料を含む名刺型容器。
【請求項９】
当該濃縮洗口材料の外部は水溶性フィルムで包まれている請求項８に記載の内部に濃縮洗口材料を含む名刺型容器。
【手続補正書】
【提出日】令和3年4月13日(2021.4.13)
【手続補正１】
【補正対象書類名】実用新案登録請求の範囲
【補正対象項目名】全文
【補正方法】変更
【補正の内容】
【実用新案登録請求の範囲】
【請求項１】
２層式の矩形シート状をなす名刺型容器であって、防水性及び可撓性を有する前シートと、防水性及び可撓性を有する後シートが設けられ、当該前シートと当該後シートの間に密閉空間が形成されるよう、当該前シートと当該後シートの四辺が互いに接着状となっており、上端に切取線が設けられる名刺型容器と、
当該名刺型容器の当該前シートと当該後シートの間の当該密閉空間内に配置される濃縮洗口材料、を含む内部に濃縮洗口材料を含む名刺型容器。
【請求項２】
当該名刺型容器の当該前シートと当該後シートは、表面に防水フィルムがコーティングされた防水紙からなる請求項１に記載の内部に濃縮洗口材料を含む名刺型容器。
【請求項３】
２層式の矩形シート状をなす名刺型容器であって、防水性及び可撓性を有する前シートと、防水性及び可撓性を有する後シートが設けられ、上端に切取線が設けられる名刺型容器と、
当該名刺型容器は、１枚の防水紙を２つに折ることで当該前シートと当該後シートを形成し、残りの三辺を互いに接着状とすることで、当該前シートと当該後シートの間に密閉空間を形成し、当該名刺型容器の当該前シートと当該後シートの間の当該密閉空間内に配置される濃縮洗口材料、を含む、内部に濃縮洗口材料を含む名刺型容器。
【請求項４】
当該名刺型容器の当該前シートと当該後シートは、表面にワックスコーティング層を有する防水紙からなる請求項１に記載の内部に濃縮洗口材料を含む名刺型容器。
【請求項５】
当該名刺型容器の当該前シートと当該後シートはプラスチックシートからなる請求項１に記載の内部に濃縮洗口材料を含む名刺型容器。
【請求項６】
当該濃縮洗口材料は、濃縮された液状の洗口液である請求項１に記載の内部に濃縮洗口材料を含む名刺型容器。
【請求項７】
当該濃縮洗口材料の外部は水溶性フィルムで包まれている請求項６に記載の内部に濃縮洗口材料を含む名刺型容器。
【請求項８】
当該濃縮洗口材料は、濃縮された粉末状の溶解しやすい洗口材料である請求項１に記載の内部に濃縮洗口材料を含む名刺型容器。
【請求項９】
当該濃縮洗口材料の外部は水溶性フィルムで包まれている請求項８に記載の内部に濃縮洗口材料を含む名刺型容器。